(57)【要約】除去可能なディスペンサパネルを備えるディスペンサを有するカートンである。ディスペンサパネルは、容易に取り除かれ、カートン内の容器へのアクセスを可能にするように構成される。
2009532302.tif 000002
【特許請求の範囲】
【請求項１】
複数の物品を収容するためのカートンであって、該カートンは、
該カートンの内部周囲に、少なくとも部分的に延在する複数のパネルであって、トップパネルと、ボトムパネルと、第１のサイドパネルと、第２のサイドパネルとを備える複数のパネルと、
該複数のパネルのそれぞれのパネルに、それぞれ折り曲げ可能に取り付けられる少なくとも２つの終端フラップであって、互いに重なり合って該カートンの端部を少なくとも部分的に閉じる少なくとも２つの終端フラップと、
該カートンからの物品の取り出しを可能にするディスペンサとを備え、該ディスペンサは、該カートン内の引裂き線によって少なくとも部分的に画定されるディスペンサパネルを備え、該ディスペンサパネルは、ディスペンサ開口部を少なくともさらに開くために少なくとも部分的に取り除かれるようにされており、該ディスペンサパネルは、該ディスペンサパネルの取り除くことを開始するためのアクセスフラップを該トップパネルに備え、
該引裂き線は、該トップパネルにおいて、該アクセスフラップから該トップパネルの第１の縁部に近接するように延在する第１の傾斜部と、該アクセスフラップから該トップパネルの第２の縁部に近接するように延在する第２の傾斜部とを備える、カートン。
【請求項２】
前記第１の傾斜部は、第１の角度で、前記第１の縁部と交差し、前記第２の傾斜部は、第２の角度で、前記第２の縁部と交差する、請求項１に記載のカートン。
【請求項３】
前記第１の角度は、前記第２の角度より大きい、請求項２に記載のカートン。
【請求項４】
前記ディスペンサパネルは、前記トップパネルの少なくとも一部と、少なくとも前記第１および第２のサイドパネルのうちの一方の一部とを備える、請求項１に記載のカートン。
【請求項５】
前記終端フラップは、前記トップパネルに折り曲げ可能に取り付けられるトップ終端フラップと、前記サイドパネルにそれぞれ折り曲げ可能に取り付けられるサイド終端フラップとを備え、前記ディスペンサパネルは、前記トップ終端フラップの少なくとも一部を備える、請求項１に記載のカートン。
【請求項６】
前記ディスペンサパネルは、前記サイド終端フラップのうちの少なくとも一方の少なくとも一部を備える、請求項５に記載のカートン。
【請求項７】
前記引裂き線は、前記カートンの閉端部で、略Ｌ字形保持部を形成する、請求項１に記載のカートン。
【請求項８】
前記終端フラップは、トップ終端フラップを備え、前記Ｌ字形保持部は、前記トップ終端フラップ内にある、請求項７に記載のカートン。
【請求項９】
前記引裂き線は、前記トップパネル内に、第３の傾斜部をさらに備える、請求項１に記載のカートン。
【請求項１０】
前記引裂き線は、前記サイドパネルの少なくとも一方に、傾斜部をさらに備える、請求項１に記載のカートン。
【請求項１１】
前記引裂き線は、前記トップパネルの縁部と、おおむね共在する部分を備える、請求項１に記載のカートン。
【請求項１２】
複数の物品と組合せた請求項１に記載のカートンであって、前記複数の物品は、前記カートン内で、少なくとも２列に配置される容器を含む、カートン。
【請求項１３】
カートンを形成するためのブランクであって、
トップパネルと、ボトムパネルと、第１のサイドパネルと、第２のサイドパネルとを備える複数のパネルと、
該複数のパネルのそれぞれのパネルに、それぞれ折り曲げ可能に取り付けられる少なくとも２つの終端フラップと、
少なくとも１つのディスペンサパネルを備えるディスペンサ機能部とを備え、該ディスペンサパネルは、該ディスペンサパネルを該ブランクから少なくとも部分的に分離するための引裂き線によって、少なくとも部分的に画定され、該ディスペンサパネルは、該トップパネルにアクセスフラップを備えており、
該引裂き線は、該トップパネルにおいて、該アクセスフラップから該トップパネルの第１の縁部に近接するように延在する第１の傾斜部と、該アクセスフラップから前記トップパネルの第２の縁部に近接するように延在する第２の傾斜部とを備える、ブランク。
【請求項１４】
前記第１の傾斜部は、第１の角度で、前記第１の縁部と交差し、前記第２の傾斜部は、第２の角度で、前記第２の縁部と交差する、請求項１３に記載のブランク。
【請求項１５】
前記第１の角度は、前記第２の角度よりも大きい、請求項１４に記載のブランク。
【請求項１６】
前記ディスペンサパネルは、前記トップパネルの少なくとも一部と、少なくとも前記第１および第２のサイドパネルのうちの一方の一部とを備える、請求項１３に記載のブランク。
【請求項１７】
前記終端フラップは、前記トップパネルに折り曲げ可能に取り付けられるトップ終端フラップと、前記サイドパネルにそれぞれ折り曲げ可能に取り付けられるサイド終端フラップとを備え、前記ディスペンサパネルは、前記トップ終端フラップの少なくとも一部を備える、請求項１３に記載のブランク。
【請求項１８】
前記ディスペンサパネルは、前記サイド終端フラップの少なくとも一方の少なくとも一部を備える、請求項１７に記載のブランク。
【請求項１９】
前記引裂き線は、前記トップパネルにおいて、第３の傾斜部をさらに備える、請求項１３に記載のブランク。
【請求項２０】
前記引裂き線は、前記サイドパネルの少なくとも１つに、傾斜部をさらに備える、請求項１３に記載のブランク。
【請求項２１】
前記引裂き線は、前記トップパネルの縁部とおおむね共在する部分を備える、請求項１３に記載のブランク。
【請求項２２】
カートンを開く方法であって、
カートンの内部周囲に少なくとも部分的に延在する複数のパネルを有しているカートンを設けるステップを備え、該複数のパネルは、トップパネルと、ボトムパネルと、第１のサイドパネルと、第２のサイドパネルと、該複数のパネルのそれぞれのパネルにそれぞれ折り曲げ可能に取り付けられる終端フラップとを備え、該終端フラップは互いに重なり合って、該カートンの閉端部を少なくとも部分的に形成し、該カートンはディスペンサを有し、該ディスペンサは、該カートンにおける引裂き線によって少なくとも部分的に画定されるディスペンサパネルと、該トップパネルにおけるアクセスフラップとを備え、該引裂き線は該アクセスフラップから該トップパネルの第１の縁部に近接するように延在する第１の傾斜部と、該アクセスフラップから該トップパネルの第２の縁部に近接するように延在する第２の傾斜部とを備え、
該方法は、該ディスペンサパネルへのアクセスを可能にするために、該アクセスフラップを折り曲げるステップと、
該ディスペンサパネルを掴み、該カートン内でディスペンサ開口部を生成するために、該第１および第２の傾斜部にそって、該カートンを少なくとも部分的に切り取ることによって、該ディスペンサパネルを該カートンから少なくとも部分的に分離するステップとを含む、方法。
【請求項２３】
前記ディスペンサ開口部を介して、前記カートンから容器を取り出すステップをさらに含む、請求項２２に記載の方法。
【請求項２４】
前記引裂き線は、前記トップパネルにおいて、第３の傾斜部を備え、前記カートンから、前記ディスペンサパネルを少なくとも部分的に分離する前記ステップは、前記第３の傾斜部に沿って、前記カートンを少なくとも部分的に切り取るステップを含む、請求項２２に記載の方法。
【請求項２５】
前記引裂き線は、前記サイドパネルの少なくとも一方において、傾斜部を備え、前記カートンから前記ディスペンサパネルを少なくとも部分的に分離する前記ステップは、前記サイドパネル内の前記傾斜部に沿って、前記カートンを少なくとも部分的に切り取るステップを含む、請求項２２に記載の方法。
【請求項２６】
前記終端フラップは、前記トップパネルに折り曲げ可能に取り付けられるトップ終端フラップを備え、前記引裂き線は、前記トップ終端フラップにおいて、２つの直交する部分を備え、前記カートンから前記ディスペンサパネルを少なくとも部分的に分離する前記ステップは、前記直交する部分に沿って、前記カートンを少なくとも部分的に切り取るステップを含む、請求項２２に記載の方法。
【請求項２７】
前記ディスペンサパネルを少なくとも部分的に分離する前記ステップは、前記ディスペンサパネルを第１の方向に引き出すステップと、次に、前記ディスペンサパネルを第２の方向に引き出すステップとを含む、請求項２２に記載の方法。
【請求項２８】
前記第１の方向は、前記カートンの長手軸におおむね平行である、請求項２７に記載の方法。
【請求項２９】
前記第２の方向は、前記第１の方向に対して傾斜している、請求項２８に記載の方法。
【請求項３０】
複数の物品を収容するためのカートンであって、該カートンは、
カートンの内部周囲に少なくとも部分的に延在する複数のパネルであって、トップパネルを備える複数のパネルと、
該複数のパネルのそれぞれのパネルにそれぞれ折り曲げ可能に取り付けられる少なくとも２つの終端フラップと、
該カートンからの物品の取り出しを可能にするためのディスペンサとを備え、該ディスペンサは、該カートンにおける引裂き線によって少なくとも部分的に画定されるディスペンサパネルを備え、該ディスペンサパネルは、ディスペンサ開口部を少なくともさらに開くために、少なくとも部分的に取り除かれるようにされており、
該引裂き線は、該トップパネルにおいて、第１の傾斜部と第２の傾斜部とを備える、カートン。
【請求項３１】
カートンを形成するためのブランクであって、
トップパネルを含む複数のパネルと、
該複数のパネルのそれぞれのパネルにそれぞれ折り曲げ可能に取り付けられる少なくとも２つの終端フラップと、
少なくとも１つのディスペンサパネルを備えるディスペンサ機能部とを備え、該ディスペンサパネルは、該ブランクから該ディスペンサパネルを少なくとも部分的に分離するための引裂き線によって少なくとも部分的に画定され、
該引裂き線は、該トップパネルにおいて、第１の傾斜部と第２の傾斜部とを備える、ブランク。
【請求項３２】
カートンを開く方法であって、
カートンの内部周囲に少なくとも部分的に延在する複数のパネルを有するカートンを設けるステップを備え、該複数のパネルは、トップパネルと、該複数のパネルのそれぞれのパネルにそれぞれ折り曲げ可能に取り付けられる終端フラップとを備え、該カートンは、ディスペンサを有し、該ディスペンサは、該カートンにおける引裂き線によって少なくとも部分的に画定されるディスペンサパネルを備え、該引裂き線は、該トップパネルにおいて、第１の傾斜部と第２の傾斜部とを備え、
該方法は、該ディスペンサパネルを掴み、該カートンにおいてディスペンサ開口部を生成するために、該第１および第２の傾斜部に沿って、該カートンを少なくとも部分的に切り取ることによって、該カートンから該ディスペンサパネルを少なくとも部分的に分離するステップを含む、方法。
【発明の詳細な説明】
【関連出願の相互参照】
【０００１】
本出願は、２００６年４月４日出願の、米国仮出願第６０／７８９，００８号の利益を主張する。上記の仮出願の全内容は、参照することによって、全体として本願に提示されるかの如く、本願に組み込まれる。
【技術分野】
【０００２】
本発明は概して、円筒容器、または他の種類の物品を収納し、取り出すためのカートンに関する。
【背景技術】
【０００３】
取り出し機能部を有する閉じたカートンは、過去に使用されてきた。これらのカートンの多くは、カートンブランクが、カートンに形成される際に、ディスペンサに形成される切取線などによって画定される、取り外し可能なディスペンサパネルを設けることによって、ディスペンサ開口部を形成する。物品をカートンから取り出すことができる開口部を形成するために、ディスペンサパネルは、カートンから取り外し可能に、またはカートンにヒンジの形態で連結される。通常、ディスペンサパネルは、カートンから取り外すことが困難である場合があり、使用者からの力や多大の操作を必要とする場合がある。物品を取り出すための開口を形成するために、カートンから迅速かつ容易に取り外すことができるディスペンサパネルを有する、カートンを提供することが望ましい。
【発明の開示】
【０００４】
一般的に、本発明の一態様は、概して、複数の物品を収容するためのカートンに関する。カートンは、カートンの内部周囲に少なくとも部分的に延在する複数のパネルを備える。複数のパネルは、トップパネル、ボトムパネル、第１のサイドパネル、および第２のサイドパネルを備える。少なくとも２つの終端フラップは、複数のパネルのそれぞれのパネルに、それぞれ折り曲げ可能に取り付けられる。終端フラップは、互いに重なり合い、それによって、カートンの端部を、少なくとも部分的に閉じる。ディスペンサは、カートンからの物品の取り出しを可能にするためのものである。ディスペンサは、カートン内の引裂き線によって、少なくとも部分的に画定され、ディスペンサ開口部を、少なくともさらに開くために、少なくとも部分的に取り除くための、ディスペンサパネルを備える。ディスペンサパネルは、トップパネル内に、ディスペンサパネルの取り除きを開始するためのアクセスフラップを備える。トップパネルにおいて、引裂き線が、アクセスフラップからトップパネルの第１の縁部に近接するように延在する第１の傾斜部と、アクセスフラップからトップパネルの第２の縁部に近接するように延在する第２の傾斜部とを備える。
【０００５】
別の一態様では、本発明は概して、カートンを形成するブランクに関する。ブランクは、複数のパネルを備える。複数のパネルは、トップパネル、ボトムパネル、第１のサイドパネル、および第２のサイドパネルを備える。少なくとも２つの終端フラップは、複数のパネルのそれぞれのパネルに、それぞれ折り曲げ可能に取り付けられる。ディスペンサ機能部は、少なくとも１つのディスペンサパネルを備え、ディスペンサパネルは、ブランクから、ディスペンサパネルを、少なくとも部分的に分離するための、引裂き線によって少なくとも部分的に画定される。ディスペンサパネルは、トップパネルにおいてアクセスフラップを備える。トップパネルにおいて、引裂き線が、アクセスフラップからトップパネルの第１の縁部に近接するように延在する第１の傾斜部と、アクセスフラップからトップパネルの第２の縁部に近接するように延在する第２の傾斜部とを備える。
【０００６】
別の一態様では、本発明は概して、カートンを開く方法に関する。当該方法は、カートンを設けるステップを含み、カートンは、その内部周囲に、少なくとも部分的に延在する複数のパネルを有する。複数のパネルは、トップパネル、ボトムパネル、第１のサイドパネル、第２のサイドパネル、および複数のパネルのそれぞれのパネルに、それぞれ折り曲げ可能に取り付けられる終端フラップを備える。終端フラップは、互いに重なり合い、それによって、カートンの閉端部を、少なくとも部分的に形成する。ディスペンサは、カートンにおける引裂き線によって、少なくとも部分的に画定されるディスペンサパネルを備え、トップパネルにおけるアクセスフラップを備える。引裂き線は、アクセスフラップからトップパネルの第１の縁部に近接するように延在する第１の傾斜部と、アクセスフラップからトップパネルの第２の縁部に近接するように延在する第２の傾斜部とを備える。当該方法は、ディスペンサパネルへのアクセスを可能にするために、アクセスフラップを折り曲げ、およびディスペンサパネルを掴み、カートン内にディスペンサ開口部を形成するために、第１および第２の傾斜部に沿って、カートンを少なくとも部分的に切り取ることによって、カートンからディスペンサパネルを少なくとも部分的に分離するステップをさらに含む。
【０００７】
別の一態様では、本発明は概して、複数の物品を収容するためのカートンに関する。カートンは、カートンの内部周囲に、少なくとも部分的に延在する複数のパネルを備える。複数のパネルは、トップパネルを備える。少なくとも２つの終端フラップは、複数のパネルのそれぞれのパネルに、それぞれ折り曲げ可能に取り付けられる。ディスペンサは、カートンからの物品の取り出しを可能にするためのものである。ディスペンサは、カートンにおける引裂き線によって、少なくとも部分的に画定され、ディスペンサ開口部を少なくともさらに開くために、少なくとも部分的に取り除かれるディスペンサパネルを備える。トップパネルにおいて、引裂き線は、第１の傾斜部および第２の傾斜部を備える。
【０００８】
別の一態様では、本発明は概して、カートンを形成するブランクに関する。ブランクは、複数のパネルを備える。複数のパネルは、トップパネルを備える。少なくとも２つの終端フラップは、複数のパネルのそれぞれのパネルに、それぞれ折り曲げ可能に取り付けられる。ディスペンサ機能部は、少なくとも１つのディスペンサパネルを備え、ディスペンサパネルは、ブランクからディスペンサパネルを少なくとも部分的に分離するための、引裂き線によって少なくとも部分的に画定される。トップパネルにおいて、引裂き線は、第１の傾斜部および第２の傾斜部を備える。
【０００９】
別の一態様では、本発明は概して、カートンを開く方法に関する。当該方法は、カートンを設けるステップを含み、カートンは、その内部周囲に、少なくとも部分的に延在する複数のパネルを有する。複数のパネルは、トップパネルを備え、カートンは、複数のパネルのそれぞれのパネルに、それぞれ折り曲げ可能に取り付けられる終端フラップを備える。ディスペンサは、カートンにおける引裂き線によって、少なくとも部分的に画定されるディスペンサパネルを備える。引裂き線は、トップパネルにおいて第１の傾斜部、およびトップパネルにおいて第２の傾斜部を備える。当該方法は、ディスペンサパネルを掴み、カートンにおけるディスペンサ開口部を形成するために、第１および第２の傾斜部に沿って、カートンを少なくとも部分的に切り取ることによって、カートンからディスペンサパネルを少なくとも部分的に分離するステップをさらに含む。
【００１０】
当業者は、以下に記載される図面を参照して、実施形態の以下の詳細な説明を読むことによって、上記の利点、および様々な追加の実施形態の利点、および利益を理解するであろう。
【００１１】
慣行に従い、以下に考察される図面の様々な特徴は、必ずしも原寸に比例して描写されるとは限らない。図面における様々な特徴および要素の寸法は、本発明の実施形態をより明確に図示するために、拡大または縮小される場合がある。
【００１２】
全ての図面に渡り、対応する部分は、対応する参照番号によって表される。
【発明を実施するための最良の形態】
【００１３】
本発明は概して、カートンのためのディスペンサに関する。本発明は例えば、食料および飲料などの物品、または他の製品を収容するカートンに使用することができる。また物品は、例えば、缶、瓶、ＰＥＴ容器などの飲料容器、または食料品の包装に使用されるような他の容器を含むことができる。本発明の範囲を制限する目的ではなく、図示の目的のために、以下の詳細な説明においては、カートンの実施形態内に配置されるような、略円筒形飲料容器が記載されている。本明細書では、「下方」、「下部」、「上方」、および「上部」という用語は、完全に組み立てられたカートンに関して決定される、方向を示す。
【００１４】
図１は、本発明の図示される実施形態による、カートン３（図２）を形成するために使用される、全体として１で示されるブランクの、外側面２の平面図である。カートン３は、容器Ｃ（図７）など、複数の物品を収納するために、使用することができる。カートン３は、容器Ｃへのアクセスを可能にするために、ブランク１において、様々なディスペンサ機能部から形成されるディスペンサ５を有する。図示される実施形態では、容器Ｃは、２×６の配置の単層に配置されるが、当然のことながら、カートン３は、二層以上、または異なる行／列配置での、異なる、または同一の数量の容器Ｃを収納するために、サイズを定めたり、また、形状を定めたりすることができる（例えば、２×６、３×６、４×３、２×６×２、３×４×２など）。
【００１５】
ブランク１は、長手方向軸Ｌ１および横方向軸Ｌ２を有する。図示される実施形態では、ブランク１は、第１の長手方向の折り線２１で、第１のサイドパネル２０に折り曲げ可能に接続されるボトムパネル１０、第２の長手方向の折り線３１で、第１のサイドパネル２０に折り曲げ可能に接続されるトップパネル３０、および第３の長手方向の折り線４１で、トップパネル３０に折り曲げ可能に接続される第２のサイドパネル４０を含む。図示される実施形態では、接着フラップ５０は、第４の長手方向の折り線５１で、ボトムパネル１０に折り曲げ可能に接続される。
【００１６】
ボトムパネル１０は、第１のボトム終端フラップ１２、および第２のボトム終端フラップ１４に折り曲げ可能に接続される。第１のサイドパネル２０は、第１のサイドフラップ２２、および第２のサイドフラップ２４に折り曲げ可能に接続される。トップパネル３０は、第１のトップ終端フラップ３２、および第２のトップ終端フラップ３４に折り曲げ可能に接続される。第２のサイドパネル４０は、第１のサイドフラップ４２、および第２のサイドフラップ４４に折り曲げ可能に接続される。カートン３が組み立てられると、終端フラップ１２および３２、ならびにサイドフラップ２２および４２は、カートンの１つの端部５３を閉じ、終端フラップ１４および３４、ならびにサイドフラップ２４および４４は、カートンの第２の端部５５を閉じる。本発明の代替実施形態によると、カートンの端部を閉じるために、異なるフラップ配置を使用することができる。
【００１７】
終端フラップ１２および３２、ならびにサイドフラップ２２および４２は、ブランク１の第１の周縁部に沿って延在することができ、ブランクの幅に沿って延在する、第１の横方向の折り線６２で、折り曲げ可能に接続することができる。終端フラップ１４および３４、ならびにサイドフラップ２４および４４は、ブランク１の第２の周縁部に沿って延在することができ、同様にブランクの幅に沿って延在する、第２の横方向の折り線６４で、折り曲げ可能に接続することができる。横方向の折り線６２、６４は、ブランクの厚さ、または他の要因の理由で、おおむね直線状、または、１つ以上の位置でずれていてもよい。
【００１８】
ディスペンサ５は、概して７４で示される引裂き線で、ブランク１に取り外し可能に取り付けられる、全体として７２で示される、ディスペンサパネルを含む。図７に示すように、ディスペンサ５は、カートンから容器Ｃを取り出すことができるように、カートン３に開口部７５を含む。図示される実施形態では、ディスペンサパネル７２は、ブランク１のトップパネル３０内に、第１の部分７６を、サイドパネル４０内に第２の部分７８を、第１のサイドフラップ４２内に第３の部分８０を、第１の終端フラップ３２内に第４の部分８２を含む。引裂き線７４は、トップパネル３０内のそれぞれの傾斜引裂き線である、第１の部分８４および第２の部分８６を含み、引裂き線のまるみのある隅部８８で収束し互いに合わさる。ディスペンサ５は、まるみのある隅部８８に半径方向に対向し、該まるみのある隅部と協働して、カートン３のトップパネル３０内に、略円形の指フラップ９４（概して、「アクセスフラップ」）を形成する、湾曲した折り線９０を含む。図示される実施形態では、指フラップ９４は、円形指パネルの１つの円周部（例えば、図１に見られるような、下部）を形成する折り線９０、および円形指パネルの他の円周部（例えば、図１に見られるような、上部）を形成するまるみのある隅部８８によって、略円形である。引裂き線７６の第１の部分８４は、まるみのある隅部８８から、長手方向の折り線３１によって画定されるトップパネル３０の縁部に近接するように、斜めに延在し、そして、第２の部分８６は、まるみのある隅部から、長手方向の折り線４１によって画定されるトップパネル３０の縁部に近接するように、斜めに延在する。引裂き線７６の第１の部分８４、および第２の部分８６は、それぞれの折り線３１、４１に延在、および交差してもよく、または第１および第２の部分は、本発明から逸脱することなく、それぞれの折り線に隣接、および近接する位置に延在してもよい。図示される実施形態では、引裂き線７６の第２の部分８６は、長手方向の折り線４１に対して、斜角度Ａ１で配置され、第１の部分８４は、長手方向の折り線３１に対して、斜角度Ａ２で配置される。角度Ａ１は、角度Ａ２よりも大きく、そのため引裂き線７４の第２の部分８６が折り線４１に交差する位置は、引裂き線の第１の部分８４が折り線３１と交差する位置に比べて、長手方向において指フラップ９４により近い位置に離間している。
【００１９】
引裂き線７４は第３の部分９６を含み、該第３の部分９６は、第１の部分８４に接続し、長手方向の折り線３１によって画定されるトップパネルの縁部の一部とおおむね共在している。引裂き線７４の第４の部分９８は、第３の部分からトップパネル３０の一部を横断して、横方向の折り線６２へと、斜めに延在する。引裂き線７４は、第４の部分９８と、横方向の折り線６２との交差点から、終端フラップ３２内におおむね長手方向に延在する第５の部分１０２と、第５の部分に垂直に終端フラップ３２の縁部まで延在する第６の部分１０４とを含む。引裂き線７４の第７の部分１０５は、第２の部分８６と長手方向の折り線４１との交差点から、サイドパネル４０内に斜めに延在し、横方向の折り線６２と交差する。引裂き線７４の第８の部分１０６は、第７の部分１０５と横方向の折り線６２との交差点から、サイドフラップ４２内でその縁部まで延在する。
【００２０】
図示される実施形態では、引裂き線７４は、トップパネル３０、サイドパネル４０、終端フラップ３２、およびサイドフラップ４２の一部を備える、非対称のディスペンサパネルを形成するように、形成される。引裂き線７４の第１、第２、第３、および第４の部分、８４、８６、９６、９８は、長手方向の折り線４１の一部、および横方向の折り線６２の一部と共に、トップパネル３０内にある、ディスペンサパネル７２の第１の部分７６を画定する。引裂き線７４の第７の部分１０５、長手方向の折り線４１の一部、および横方向の折り線６２の一部は、サイドパネル４０内にある、ディスペンサパネルの第２の部分７８を画定する。引裂き線７４の第８の部分１０６、および終端フラップ４２をサイドパネル４０に接続する、横方向の折り線６２の一部は共に、サイド終端フラップ４２内にある、ディスペンサパネル７２の第３の部分８０を画定する。引裂き線７４の第５および第６の部分１０２、１０４、ならびに横方向の折り線６２は共に、トップ終端フラップ３２内にある、ディスペンサパネル７２の第４の部分８２を画定する。当然のことながら、図示される実施形態のディスペンサパネル７２は、ディスペンサパネルが、対称軸を有しないという点において、非対称である。あるいは、本発明のディスペンサ５は、本発明の範囲から逸脱することなく、ディスペンサが、少なくとも１つの対称軸を有することができるように、構成されてもよいことを理解されたい。
【００２１】
例示的な実施形態によると、折り線２１、３１、４１、５１に沿って折り曲げ、接着フラップ５０を、第２のサイドパネル４０に接着することによって、ブランク１をカートン３へと組み立てることができる。カートン３の端部５３、５５は、容器Ｃがカートン内に挿入された後に、終端フラップ１２、３２、１４、３４、およびサイドフラップ２２、４２、２４、４４を、それぞれ重ね合わせ、接着することによって、閉じることができる。
【００２２】
図４乃至図７に示すように、ディスペンサパネル７２は、ディスペンサ開口部７５を形成するために、カートン３から取り外すことができる。例示的な開口プロセスは、指フラップ９４を押ことから開始し、引裂き線７４の円形部８８に沿ってディスペンサパネル７２を切り取り、折り線９０に沿って指パネルを内方に折り曲げることができる（図４）。一度、指フラップ９４が内方に折り曲げられると、ディスペンサパネル７２の第１の部分７６を掴み、矢印Ａ３の方向に引張って（図５）、引裂き線７４の第１および第２の部分８４、８６に沿ってカートン３を切り取り、カートンからディスペンサパネルを取り外す。図示される実施形態では、ディスペンサパネル７２、および引裂き線７４は、右利きの使用者による、ディスペンサパネルの取り外しを容易にするように、形成されている。一実施形態では、第１の部分８４が完全に分離される前に、引裂き線７４の第２の部分８６はトップパネル３０から完全に分離されて、第１の部分が部分的に取り付けられている状態で、引裂き線の第７の部分１０５が、サイドパネル４０において引裂かれるのが開始される。このようにして、ディスペンサパネルを取り除く使用者の自然な動作は、長手軸Ｌ１におおむね平行の、矢印Ａ３の方向で開始されるが、ディスペンサパネルが取り外されるにつれて、長手軸および横軸Ｌ２に対しておおむね傾斜した、矢印Ａ４の方向に変化する（図６）。
【００２３】
あるいは、カートン３内に収納することができる容器Ｃの、様々な他のサイズ、および形状と一致するように、ディスペンサパネル７２、および引裂き線７４を形成し、寸法採りを行うことができることを理解されたい。さらに、カートン１５０は、ディスペンサパネル７２が、左利きの使用者のために配置されるように、（ブランクの「外側面」２が、内部になるように）ブランク１を裏返した後、組み立てることができる。さらに、ディスペンサパネル７２が、ディスペンサパネルがサイドパネル２０の一部を含むことができるという点において、ディスペンサパネルを左利きの使用者に対して形成されるように、ディスペンサパネル７２、および引裂き線７４を別の方法で構成することができる。あるいは、ディスペンサパネル７２は、本発明の範囲から逸脱することなく、サイドパネル２０、３０の両方の一部を含むように形成してもよく、また、トップパネル３０の一部のみを含むように、形成してもよい。
【００２４】
図７に示すように、一度ディスペンサパネル７２が、カートン３から取り除かれると、容器Ｃを開口部７５から取り出すことができる。図示される実施形態では、開口部７５は、トップパネル３０、サイドパネル４０、終端フラップ３２、およびサイドフラップ４２の一部を含む。図１および２に示すように、トップパネル３０の終端フラップ３２は、ボトムパネル１０の終端フラップ１２と重なり合うように、サイズ決定される。終端フラップ３２、１２の重なり合う構成は、カートン３の開端部が、ディスペンサパネル７２を取り除いた後に、構造的安定性を維持するように、トップ終端フラップ３２が、接着剤でコーティングされ、ボトム終端フラップ１２に接着付けされることを可能にする。トップ終端フラップ３２は、本発明の範囲から逸脱することなく、別の方法で形成することができる。
【００２５】
図示される実施形態では、また図１を参照して、最も理解されるように、角度Ａ１は、約２０度であり、角度Ａ２は、約１５度であり、引裂き線７４の第３の部分９６は、約３−１／２インチ（８９ｍｍ）の長さＬ４を有する。図示される実施形態では、終端パネル３２は、カートン３の閉端部５３で、実質的にトップパネル３０、およびボトムパネル１０の間に延在するように、サイズ決定される。終端パネル３２は、本発明から逸脱することなく、（例えば、カートン３の端部５３を、部分的にのみ閉じるように）別の形態で形成することができる。
【００２６】
図示される実施形態では、終端フラップ３２内の引裂き線７４の部分１０２、１０４は、おおむね直角であり、ディスペンサパネル７２の除去によって、カートンの略Ｌ字形保持部１１０（図７）を形成する。一実施形態では、引裂き線の第５の部分１０２は、終端フラップ３２を横断して折り線６２から横方向に距離Ｄ１（図１）にわたって延在する。図示される実施形態では、引裂き線７４の第６の部分は、終端フラップ３２を横断して第５の部分１０２から長手方向に距離Ｄ２（図１）にわたって延在する。一実施形態では、距離Ｄ１は、終端フラップ３２の高さＨ１の、少なくとも約１０％から約９０％の範囲であり、距離Ｄ２は、終端フラップ３２幅Ｗ１の、約１０％から約９０％の範囲である。図示される実施形態では、距離Ｄ１は、約２．５インチ（６３．５ｍｍ）であり、距離Ｄ２は、約２．５インチ（６３．５ｍｍ）であり、高さＨ１は、約５．０インチ（１２７ｍｍ）であり、幅Ｗ１は、約５．０インチ（１２７ｍｍ）である。
【００２７】
一実施形態では、引裂き線７４の第７の部分１０５は、折り線４１から、サイドパネル４０の幅Ｗ２の、少なくとも約１０％から約９０％の範囲の距離Ｄ３（図１）離間した位置で、折り線６２と交差する。図示される実施形態では、距離Ｄ３は、約２．５インチ（６３．５ｍｍ）であり、幅Ｗ２は、約５．０インチ（１２７ｍｍ）である。当然のことながら、本願に示される寸法情報は、変更される場合があり、本発明の範囲を制限することを目的としない。
【００２８】
図示される実施形態では、また図１を参照にして、最も理解されるように、引裂き線７４の部分は、除去可能なディスペンサパネル７２を形成する、様々な種類の弱化線を含む。例えば、第１の部分８４、第２の部分８６、第６の部分１０４、および第８の部分１０６は、刻み目によって分離される一連のオフセットカット(ずらされた切れ目（offset cut)）、またはスリット（裂け目）を含む。ディスペンサパネル７２を取り除く際に、オフセットカット、またはスリット、および引裂き線７４の刻み目は、一連の略長方形の凸部および隣接する凸部間に長方形の凹部を含むギザギザの（凹凸のある）縁部を形成する。第３の部分９６、第４の部分９８、折り線６２に隣接する第５の部分１０２の一部、および折り線６２に隣接する第７の部分１０５の一部は、一連のスリットまたは切れ目を含み、スリットまたは切れ目の間に形成される略Ｖ字形の刻み目によってスリット（裂け目）またはカット（切れ目）は分離される。図示される実施形態では、スリットまたはカットは、直線部、および隣接するスリットまたはカット間に略Ｖ字形の刻み目を形成する傾斜終端部を有する。ディスペンサパネル７２が取り除かれる際に、略Ｖ字形の刻み目によって分離されるスリットまたはカットは、カートン３のそれぞれの縁部、およびディスペンサパネルのそれぞれの縁部上に、略Ｖ字形の凸部または略Ｖ字形の凹部のいずれかを含むギザギザの縁部を形成する。まるみのある隅部８８、折り線４１に隣接する第７の部分１０５の一部、ならびに第５の部分１０２、および第６の部分１０４の交点の隅部は、整列したカット（切れ目）またはスリット（裂け目）によって形成されており、該整列したカットまたはスリットに実質的に整合する刻み目によって分離される。一実施形態では、整列したカットまたはスリットは、引裂き線７４の他の部分における、他の種類の弱化線を形成するカットまたはスリットよりも、概して長い。ディスペンサパネル７２を取り除く際に、整列したカットまたはスリット、および刻み目は、略平滑な縁を形成する（例えば、縁部から突出するカートン材料を、ほとんど、または全く有しない、または縁部で形成される凹部をほとんど、または全く有しない）。引裂き線７４の様々な部分は、本願に図示される種類、または本願に図示されない他の種類を含む、他の種類の弱化線によって形成されることができる。また、本願に図示される弱化線の種類は、本願に図示されるいかなる種類の弱化線が、本発明から逸脱することなく、引裂き線の部分のいずれか、またはすべてに使用することができるように、置き換えることができる。
【００２９】
図１に示すように、折り線３１、４１、６２、および６４の部分は、折り線を形成するカートン材料の、陥凹部(depressed area)に沿って形成される整列したカットまたはスリットによって、形成される。カットまたはスリットは、折り線を形成する材料の陥凹部分内で、材料の刻み目によって分離される。図示される実施形態では、横方向の折り線６４、および引裂き線７４の第３の部分９６の間の、長手方向の折り線３１の部分は、折り線を形成するカートン材料の陥凹部内で、カットまたはスリットによって形成される。横方向の折り線６４と、引裂き線７４の第２の部分８６の交差との間の、長手方向の折り線４１の部分は、折り線を形成するカートン材料の陥凹部内で、カットまたはスリットによって形成される。サイド終端フラップ２４、４４、およびサイドパネル２０、４０を、それぞれ折り曲げ可能に取り付ける、横方向の折り線６４のそれぞれの部分は、折り線を形成するカートン材料の陥凹部内に、カットまたはスリットを含む形で、形成される。サイド終端フラップ２２、４２、およびサイドパネル２０、４０を、それぞれ折り曲げ可能に取り付ける、横方向の折り線６２のそれぞれの部分は、折り線を形成するカートン材料の陥凹部内に、カットまたはスリットを含む方法で、形成される。折り線を形成するカートン材料の陥凹部内に、カットまたはスリットを含む方法で、折り線のいずれか、すべてを形成しても、もしくはどの折り線も形成されないようにしてもよく、または折り線は、本発明から逸脱することなく、他の方法によって形成することができる。
【００３０】
本発明は、物品への容易なアクセスを提供する、追加の開口機能部、およびカートンの前または後端部に、物品を配置する傾斜機能部などの、様々な機能部を含むカートンに、使用することができる。
【００３１】
本発明の実施形態のいずれによるブランクも、例えば、コーティングされた板紙、および同様の材料から形成することができる。例えば、ブランクの内および／または外側面は、クレイコーティングすることができる。次に、クレイコーティング上に、製品名、広告、価格コード、および他の情報または画像を印刷することができる。次に、ブランクは、ブランク上に印刷されたいかなる情報も保護するために、ニスでコーティングすることができる。またブランクは、ブランクのいずれか、または両方の面を、例えば防湿層でコーティングすることもできる。上述の実施形態によると、ブランクは、普通紙より重く、より剛性を有するような厚みの板紙で構成することができる。またブランクは、ボール紙、硬化紙、またはカートンが、少なくとも概して、上述のように機能することを可能にするために適した特性を有する、いかなる他の材料など、他の材料で構成することもできる。また選択されたパネル、またはパネル部分で、１つ以上のシート状の材料を用いて、ブランクをラミネート加工、またはコーティングすることもできる。
【００３２】
「線」という用語は、本願では、直線だけではなく、弓形線、曲線、または角度的に変位する線など、種々の線も含む。
【００３３】
上記の実施形態は、接着剤によって互いに接着する、１つ以上のパネルを有すると、記載されている。「接着剤」という用語は、所定の位置にカートンパネルを固定するために、一般に使用されるあらゆる種類の接着剤を包含することを、目的とする。
【００３４】
例示的な実施形態によると、折り線は、それに沿った折りを容易にするような弱化形態の実質的に線状のものとすることができ、また、必ずしも直線である必要はない。本発明の範囲を限定する目的ではないが、より詳しくは、折り線は、望ましい弱化線に沿って、材料内に圧潰または陥凹部を形成する、鈍いスコアリングナイフなどで形成される線などの、切り込み線、望ましい弱化線に沿って、材料内に部分的に延在するカット、および／または望ましい弱化線に沿って、材料内に部分的に、および／または完全に延在する一連のカット、ならびにこれらの特性の様々な組合せを含む。切込みを用いて折り線を形成する場合には、通常、切込みは、道理をわきまえた使用者が、折り線を引裂き線と見間違ってしまうような過度な切込みとはしない。
【００３５】
一例として、引裂き線は、望ましい弱化線に沿って、材料内に部分的に延在するスリット、および／または望ましい弱化線に沿って、材料内に部分的に、および／または完全に貫通する、一連の離間したスリット、またはこれらの特性の様々な組合せを含むことができる。より具体的な例として、１つの種類の引裂き線が、材料を通して延在する離間した一連のスリットの形態においては、隣接するスリットはわずかに離間されていて、刻み目（例えば、材料の小さくやや架橋状の段片）が、引裂き線にわたる材料を典型的にかつ一時的に接続している隣接するスリット間に画定される。刻み目は、引裂き線に沿って引裂く際に破壊される。刻み目は通常、引裂き線の比較的小さい割合を占め、あるいは、引裂き線が連続する切り取り線であるように、刻み目を引裂き線から省略したり、引裂き線において刻み目を引裂くことができる。つまり、引裂き線のそれぞれが、連続的なスリット（裂け目）などで置換されることは、本発明の範囲内である。例えば、切り取り線は、本発明から逸脱することなく、連続的なスリット（裂け目）とすることができ、またはスリットより幅広であってもよい。
【００３６】
本発明の前述の説明は、本発明の様々な実施形態を示し述べたものである。本発明の範囲から逸脱することなく、上記の構造において様々な変更が可能であることから、上記の説明に含まれるまたは添付の図面に示されるすべての事柄は、限定的なものではなく例示的なものと解釈されるべきものである。さらに、本発明の範囲は、クレームの範囲内にある、上述の実施形態の様々な修正、組合せ、変化などを含む。さらに、本開示は、本発明の選択された実施形態のみを示し述べているが、本発明は、様々の他の組合せ、修正、および環境において使用が可能であり、本願に表現されるような発明概念の範囲内において上記した教示に相応するような及び又は関連する技術の技能、または知識の範囲内にある変更、修正等を行うことができる。更に、各実施形態の特定の機能および特徴は、本発明の範囲から逸脱することなく、選択的に置き換えることができ、本発明において他に図示された、または図示されていない実施形態に適用することができる。
【図面の簡単な説明】
【００３７】
【図１】本発明の一実施形態による、カートンを形成するために使用されるブランクの、平面図である。
【図２】カートンの正面斜視図である。
【図３】カートンの側面斜視図である。
【図４】ディスペンサの開口を開始するために作動するアクセスフラップが使用されている状態のカートンの拡大図である。
【図５】図４と同様だが、部分的に開いたディスペンサを示す図である。
【図６】図５と同様だが、さらに部分的に開いたディスペンサを示す図である。
【図７】ディスペンサが開いた状態の、カートンの斜視図である。
【図１】
2009532302.tif 000003
【図２】
2009532302.tif 000004
【図３】
2009532302.tif 000005
【図４】
2009532302.tif 000006
【図５】
2009532302.tif 000007
【図６】
2009532302.tif 000008
【図７】
2009532302.tif 000009
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
複数の物品を収容するためのカートンであって、該カートンは、
該カートンの内部周囲に、少なくとも部分的に延在する複数のパネルであって、トップパネルと、ボトムパネルと、第１のサイドパネルと、第２のサイドパネルとを備える複数のパネルと、
該複数のパネルのそれぞれのパネルに、それぞれ折り曲げ可能に取り付けられる少なくとも２つの終端フラップであって、互いに重なり合って該カートンの端部を少なくとも部分的に閉じる少なくとも２つの終端フラップと、
該カートンからの物品の取り出しを可能にするディスペンサとを備え、該ディスペンサは、該カートン内の引裂き線によって少なくとも部分的に画定されるディスペンサパネルを備え、該ディスペンサパネルは、ディスペンサ開口部を少なくともさらに開くために少なくとも部分的に取り除かれるようにされており、該ディスペンサパネルは、該ディスペンサパネルの取り除くことを開始するためのアクセスフラップを該トップパネルに備え、
該引裂き線は、該トップパネルにおいて、該アクセスフラップから該トップパネルの第１の縁部に近接するように延在する第１の傾斜部と、該アクセスフラップから該トップパネルの第２の縁部に近接するように延在する第２の傾斜部とを備える、カートン。
【請求項２】
前記第１の傾斜部は、第１の角度で、前記第１の縁部と交差し、前記第２の傾斜部は、第２の角度で、前記第２の縁部と交差し、該第１の角度は該第２の角度より大きい、請求項１に記載のカートン。
【請求項３】
前記ディスペンサパネルは、前記トップパネルの少なくとも一部と、少なくとも前記第１および第２のサイドパネルのうちの一方の一部とを備える、請求項１に記載のカートン。
【請求項４】
前記終端フラップは、前記トップパネルに折り曲げ可能に取り付けられるトップ終端フラップと、前記サイドパネルにそれぞれ折り曲げ可能に取り付けられるサイド終端フラップとを備え、前記ディスペンサパネルは、前記トップ終端フラップの少なくとも一部を備える、請求項１に記載のカートン。
【請求項５】
前記ディスペンサパネルは、前記サイド終端フラップのうちの少なくとも一方の少なくとも一部を備える、請求項４に記載のカートン。
【請求項６】
前記引裂き線は、前記カートンの閉端部で、略Ｌ字形保持部を形成する、請求項１に記載のカートン。
【請求項７】
前記終端フラップは、トップ終端フラップを備え、前記Ｌ字形保持部は、前記トップ終端フラップ内にある、請求項６に記載のカートン。
【請求項８】
前記引裂き線は、前記トップパネル内に、第３の傾斜部をさらに備える、請求項１に記載のカートン。
【請求項９】
前記引裂き線は、前記サイドパネルの少なくとも一方に、傾斜部をさらに備える、請求項１に記載のカートン。
【請求項１０】
前記引裂き線は、前記トップパネルの縁部と、おおむね共在する部分を備える、請求項１に記載のカートン。
【請求項１１】
複数の物品と組合せた請求項１に記載のカートンであって、前記複数の物品は、前記カートン内で、少なくとも２列に配置される容器を含む、カートン。
【請求項１２】
カートンを形成するためのブランクであって、
トップパネルと、ボトムパネルと、第１のサイドパネルと、第２のサイドパネルとを備える複数のパネルと、
該複数のパネルのそれぞれのパネルに、それぞれ折り曲げ可能に取り付けられる少なくとも２つの終端フラップと、
少なくとも１つのディスペンサパネルを備えるディスペンサ機能部とを備え、該ディスペンサパネルは、該ディスペンサパネルを該ブランクから少なくとも部分的に分離するための引裂き線によって、少なくとも部分的に画定され、該ディスペンサパネルは、該トップパネルにアクセスフラップを備えており、
該引裂き線は、該トップパネルにおいて、該アクセスフラップから該トップパネルの第１の縁部に近接するように延在する第１の傾斜部と、該アクセスフラップから前記トップパネルの第２の縁部に近接するように延在する第２の傾斜部とを備える、ブランク。
【請求項１３】
前記第１の傾斜部は、第１の角度で、前記第１の縁部と交差し、前記第２の傾斜部は、第２の角度で、前記第２の縁部と交差し、該第２の角度は該第１の角度より大きい、請求項１２に記載のブランク。
【請求項１４】
前記終端フラップは、前記トップパネルに折り曲げ可能に取り付けられるトップ終端フラップと、前記サイドパネルにそれぞれ折り曲げ可能に取り付けられるサイド終端フラップとを備え、前記ディスペンサパネルは、前記トップパネルの少なくとも一部と、少なくとも前記第１および第２のサイドパネルのうちの一方の一部と、前記トップ終端フラップの少なくとも一部と、前記サイド終端フラップの少なくとも一方の少なくとも一部とを備える、請求項１２に記載のブランク。
【請求項１５】
前記引裂き線は、前記トップパネルにおいて、第３の傾斜部をさらに備える、請求項１２に記載のブランク。
【請求項１６】
前記引裂き線は、前記サイドパネルの少なくとも１つに、傾斜部をさらに備える、請求項１２に記載のブランク。
【請求項１７】
前記引裂き線は、前記トップパネルの縁部とおおむね共在する部分を備える、請求項１２に記載のブランク。
【請求項１８】
カートンを開く方法であって、
カートンの内部周囲に少なくとも部分的に延在する複数のパネルを有しているカートンを設けるステップを備え、該複数のパネルは、トップパネルと、ボトムパネルと、第１のサイドパネルと、第２のサイドパネルと、該複数のパネルのそれぞれのパネルにそれぞれ折り曲げ可能に取り付けられる終端フラップとを備え、該終端フラップは互いに重なり合って、該カートンの閉端部を少なくとも部分的に形成し、該カートンはディスペンサを有し、該ディスペンサは、該カートンにおける引裂き線によって少なくとも部分的に画定されるディスペンサパネルと、該トップパネルにおけるアクセスフラップとを備え、該引裂き線は該アクセスフラップから該トップパネルの第１の縁部に近接するように延在する第１の傾斜部と、該アクセスフラップから該トップパネルの第２の縁部に近接するように延在する第２の傾斜部とを備え、
該方法は、該ディスペンサパネルへのアクセスを可能にするために、該アクセスフラップを折り曲げるステップと、
該ディスペンサパネルを掴み、該カートン内でディスペンサ開口部を生成するために、該第１および第２の傾斜部にそって、該カートンを少なくとも部分的に切り取ることによって、該ディスペンサパネルを該カートンから少なくとも部分的に分離するステップとを含む、方法。
【請求項１９】
前記ディスペンサ開口部を介して、前記カートンから容器を取り出すステップをさらに含む、請求項１８に記載の方法。
【請求項２０】
前記引裂き線は、前記トップパネルにおいて、第３の傾斜部を備え、前記カートンから、前記ディスペンサパネルを少なくとも部分的に分離する前記ステップは、前記第３の傾斜部に沿って、前記カートンを少なくとも部分的に切り取るステップを含む、請求項１８に記載の方法。
【請求項２１】
前記引裂き線は、前記サイドパネルの少なくとも一方において、傾斜部を備え、前記カートンから前記ディスペンサパネルを少なくとも部分的に分離する前記ステップは、前記サイドパネルの少なくとも一方にある前記傾斜部に沿って、前記カートンを少なくとも部分的に切り取るステップを含む、請求項１８に記載の方法。
【請求項２２】
前記終端フラップは、前記トップパネルに折り曲げ可能に取り付けられるトップ終端フラップを備え、前記引裂き線は、前記トップ終端フラップにおいて、２つの直交する部分を備え、前記カートンから前記ディスペンサパネルを少なくとも部分的に分離する前記ステップは、前記直交する部分に沿って、前記カートンを少なくとも部分的に切り取るステップを含む、請求項１８に記載の方法。
【請求項２３】
前記ディスペンサパネルを少なくとも部分的に分離する前記ステップは、前記ディスペンサパネルを第１の方向に引き出すステップと、次に、前記ディスペンサパネルを第２の方向に引き出すステップとを含み、前記第１の方向は前記カートンの長手軸におおむね平行であり、前記第２の方向は前記第１の方向に対して傾斜している、請求項１８に記載の方法。
【国際調査報告】
2009532302.tif 000010
2009532302.tif 000011
2009532302.tif 000012
2009532302.tif 000013